(57)【要約】【課題】開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、開口開放位置側にある障子の急速な開口開放移動や開口閉鎖位置側にある障子の急速な開口閉鎖移動を防止することができる自然換気窓を提供すること。【解決手段】自然換気窓１は、窓枠２と、窓枠２により画成された開口３に配される障子４と、気流に基づいて開口３を開閉させる開閉手段６とを具備しており、自然換気窓１は、建物外７側に向かう障子４の開口開放移動により開口３を開き、建物内８側に向かう障子４の開口閉鎖移動により開口３を閉じるようになっている。【選択図】図１
2008179985.tif 000002
【特許請求の範囲】
【請求項１】
建物に装着される窓枠と、窓枠により画成された開口に配される障子と、気流に基づいて開口を開閉させる開閉手段とを具備しており、開閉手段は、障子の上框及び下框のうちのいずれか一方側の部位を昇降自在に且つ水平軸の回りで回動自在に支持する第一の支持機構と、前記部位に対して下方又は上方に位置する障子の他の部位を、建物内外方向に移動自在に且つ水平軸の回りで回動自在に支持する第二の支持機構とを具備しており、障子の他の部位は、障子が開口閉鎖位置にある場合に障子の重心に対して上方に位置すると共に当該重心に対して建物内外のいずれか一方側に位置するように配されており、第二の支持機構は、障子の他の部位に形成された被支持部材と、窓枠に装着されていると共に  被支持部材を支持する支持部材とを具備しており、支持部材は、被支持部材を建物内外方向に直動自在に且つ水平軸の回りで回動自在に支持する直動支持部と、直動支持部の建物内側寄りの端部に連接されており、建物内方向に向かう障子の他の部位の移動に際して当該他の部位を上方に変位させる一方、建物外方向に向かう障子の他の部位の移動に際して当該他の部位を下方に変位させるように、被支持部材を建物内外方向に交差する方向に移動自在に且つ水平軸の回りで回動自在に支持する端側支持部、及び、直動支持部の建物外側寄りの端部に連接されており、建物内方向に向かう障子の他の部位の移動に際して当該他の部位を下方に変位させる一方、建物外方向に向かう障子の他の部位の移動に際して当該他の部位を上方に変位させるように、被支持部材を建物内外方向に交差する方向に移動自在に且つ水平軸の回りで回動自在に支持する端側支持部のうちの少なくとも一方とを具備している自然換気窓。
【請求項２】
直動支持部及び端側支持部は、互いに協働して、被支持部材を建物内外方向及び建物内外方向に交差する方向に案内する長孔又はスリットを形成している請求項１に記載の自然換気窓。
【請求項３】
第一の支持機構は、障子の上框及び下框のうちのいずれか一方側の部位を鉛直方向に直動自在に支持するようになっている請求項１又は２に記載の自然換気窓。
【請求項４】
開口開放位置にある障子の他の部位及び当該障子の重心は、鉛直方向に伸びる同一直線上に夫々位置する請求項１から３のいずれか一項に記載の自然換気窓。
【請求項５】
開閉手段は、開口閉鎖位置にある障子を窓枠に係合させる係合手段を具備している請求項１から４のいずれか一項に記載の自然換気窓。
【請求項６】
第一の支持機構は、障子の上框側の部位を支持するようになっており、第二の支持機構は、障子の上框側の部位に対して下方に位置すると共に障子が開口閉鎖位置にある場合に障子の重心に対して建物外側に位置するように障子の他の部位を支持するようになっている請求項１から５のいずれか一項に記載の自然換気窓。
【請求項７】
第一の支持機構は、障子の下框側の部位を支持するようになっており、第二の支持機構は、障子の下框側の部位に対して上方に位置すると共に障子が開口閉鎖位置にある場合に障子の重心に対して建物内側に位置するように障子の他の部位を支持するようになっている請求項１から５のいずれか一項に記載の自然換気窓。
【発明の詳細な説明】
【技術分野】
【０００１】
本発明は、気流に基く障子の開閉移動により建物の開口を開閉させる自然換気窓に関する。
【背景技術】
【０００２】
【特許文献１】特開２００３−２４７３７１号公報
【０００３】
例えば特許文献１においては、障子の竪框上部に一端が枢着され他端が前記一端よりも低い位置において窓枠の竪枠に枢着されたメインアームと、竪框中間部に一端が枢着され他端が竪枠下部に枢着されており、メインアームよりも長いサブアームとを有しており、サブアームの一端及び窓を閉じた状態にある障子の重心が、鉛直方向に伸びる同一線上に位置するように夫々配されている自然換気窓が提案されている。
【発明の開示】
【発明が解決しようとする課題】
【０００４】
ところで、斯かる自然換気窓では、メインアーム及びサブアームの回転やサブアームの一端及び障子の重心の夫々の位置などの関係上、窓を開くと障子に付与される建物の開口開放位置に向かう回動モーメントも増すために、開口開放位置側にある障子の気流に基づく開口閉鎖移動を軽くすると共に開口閉鎖位置側にある障子の気流に基づく開口閉鎖移動を重くすることが困難である。加えて、斯かる自然換気窓では、開口開放位置側にある障子の急速な開口開放移動や開口閉鎖位置側にある障子の急速な開口閉鎖移動を防止することも望まれる。
【０００５】
本発明は、前記諸点に鑑みてなされたものであり、その目的とするところは、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、開口開放位置側にある障子の急速な開口開放移動や開口閉鎖位置側にある障子の急速な開口閉鎖移動を防止することができる自然換気窓を提供することにある。
【課題を解決するための手段】
【０００６】
本発明の自然換気窓は、建物に装着される窓枠と、窓枠により画成された開口に配される障子と、気流に基づいて開口を開閉させる開閉手段とを具備しており、開閉手段は、障子の上框及び下框のうちのいずれか一方側の部位を昇降自在に且つ水平軸の回りで回動自在に支持する第一の支持機構と、前記部位に対して下方又は上方に位置する障子の他の部位を、建物内外方向に移動自在に且つ水平軸の回りで回動自在に支持する第二の支持機構とを具備しており、障子の他の部位は、障子が開口閉鎖位置にある場合に障子の重心に対して上方に位置すると共に当該重心に対して建物内外のいずれか一方側に位置するように配されており、第二の支持機構は、障子の他の部位に形成された被支持部材と、窓枠に装着されていると共に被支持部材を支持する支持部材とを具備しており、支持部材は、被支持部材を建物内外方向に直動自在に且つ水平軸の回りで回動自在に支持する直動支持部と、直動支持部の建物内側寄りの端部に連接されており、建物内方向に向かう障子の他の部位の移動に際して当該他の部位を上方に変位させる一方、建物外方向に向かう障子の他の部位の移動に際して当該他の部位を下方に変位させるように、被支持部材を建物内外方向に交差する方向に移動自在に且つ水平軸の回りで回動自在に支持する端側支持部、及び、直動支持部の建物外側寄りの端部に連接されており、建物内方向に向かう障子の他の部位の移動に際して当該他の部位を下方に変位させる一方、建物外方向に向かう障子の他の部位の移動に際して当該他の部位を上方に変位させるように、被支持部材を建物内外方向に交差する方向に移動自在に且つ水平軸の回りで回動自在に支持する端側支持部のうちの少なくとも一方とを具備している。
【０００７】
本発明の自然換気窓によれば、特に、障子の他の部位は、障子が開口閉鎖位置にある場合に障子の重心に対して上方に位置すると共に当該重心に対して建物内外のいずれか一方側に位置するように配されており、第二の支持機構は、障子の他の部位に形成された被支持部材と、窓枠に装着されていると共に被支持部材を支持する支持部材とを具備しており、支持部材は、被支持部材を建物内外方向に直動自在に且つ水平軸の回りで回動自在に支持する直動支持部と、直動支持部の建物内側寄りの端部に連接されており、建物内方向に向かう障子の他の部位の移動に際して当該他の部位を上方に変位させる一方、建物外方向に向かう障子の他の部位の移動に際して当該他の部位を下方に変位させるように、被支持部材を建物内外方向に交差する方向に移動自在に且つ水平軸の回りで回動自在に支持する端側支持部、及び、直動支持部の建物外側寄りの端部に連接されており、建物内方向に向かう障子の他の部位の移動に際して当該他の部位を下方に変位させる一方、建物外方向に向かう障子の他の部位の移動に際して当該他の部位を上方に変位させるように、被支持部材を建物内外方向に交差する方向に移動自在に且つ水平軸の回りで回動自在に支持する端側支持部のうちの少なくとも一方とを具備しているために、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動により好適に換気することができ、しかも、建物外側寄りの端側支持部を具備する場合には開口開放位置側にある障子の急速な開口開放移動を防止することができ、建物内側寄りの端側支持部を具備する場合には開口閉鎖位置側にある障子の急速な開口閉鎖移動を防止することができる。また、本発明の自然換気窓によれば、第一の支持機構は、障子の上框及び下框のうちのいずれか一方側の部位を昇降自在に支持しており、第二の支持機構は、障子の他の部位を建物内外方向に移動自在に支持しているために、開口を開放する際に障子を建物内外のいずれか一方側のみに突出させることができる。
【０００８】
本発明の自然換気窓の好ましい例では、直動支持部及び端側支持部は、互いに協働して、被支持部材を建物内外方向及び建物内外方向に交差する方向に案内する長孔又はスリットを形成している。
【０００９】
本発明の自然換気窓の好ましい例では、第一の支持機構は、障子の上框及び下框のうちのいずれか一方側の部位を鉛直方向に直動自在に支持するようになっている。
【００１０】
本発明の自然換気窓の好ましい例では、開口開放位置にある障子の他の部位及び当該障子の重心は、鉛直方向に伸びる同一直線上に夫々位置する。このような好ましい例によれば、障子に重錘等を装着することなく、開口開放位置において障子を釣り合わせることができて、ストッパ等を用いずとも障子の開口開放方向に向かう移動を停止させることができ、しかも、開口開放位置又はその近傍にある障子の気流に基づく開閉移動を軽くすることができる。
【００１１】
本発明の自然換気窓の好ましい例では、開閉手段は、開口閉鎖位置にある障子を窓枠に係合させる係合手段を具備している。
【００１２】
本発明の自然換気窓の好ましい例では、第一の支持機構は、障子の上框側の部位を支持するようになっており、第二の支持機構は、障子の上框側の部位に対して下方に位置すると共に障子が開口閉鎖位置にある場合に障子の重心に対して建物外側に位置するように障子の他の部位を支持するようになっていてもよく、このような好ましい例によれば、特に建物外から建物内に向かう気流の増大及び減少に応じて開口を閉鎖及び開放させることができ、また、第一の支持機構は、障子の下框側の部位を支持するようになっており、第二の支持機構は、障子の下框側の部位に対して上方に位置すると共に障子が開口閉鎖位置にある場合に障子の重心に対して建物内側に位置するように障子の他の部位を支持するようになっていてもよく、このような好ましい例によれば、特に建物内から建物外に向かう気流の増大及び減少に応じて開口を閉鎖及び開放させることができる。
【発明の効果】
【００１３】
本発明によれば、開口開放位置側にある障子の気流に基づく開口閉鎖移動を軽くすると共に開口閉鎖位置側にある障子の気流に基づく開口閉鎖移動を重くすることができ、而して、開口開放位置側にある障子の気流に基づく開閉移動によって好適に換気することができ、しかも、開口開放位置側にある障子の急速な開口開放移動や開口閉鎖位置側にある障子の急速な開口閉鎖移動を防止することができる自然換気窓を提供し得る。
【発明を実施するための最良の形態】
【００１４】
次に、本発明の実施の形態の例を、図に示す例に基づいて更に詳細に説明する。尚、本発明は、これら例に何等限定されないのである。
【００１５】
図１から図６において、本例の自然換気窓１は、建物（図示せず）に装着される窓枠２と、窓枠２により画成された開口３に配される障子４と、気流に基づいて開口３を開閉させる開閉手段６とを具備している。自然換気窓１は、建物外７側に向かう障子４の開口開放移動により図１に示すように開口３を開き、建物内８側に向かう障子４の開口閉鎖移動により図２に示すように開口３を閉じるようになっている。
【００１６】
窓枠２は、上枠１２、下枠１３並びに一対の縦枠１４及び１５を有している。上枠１２、下枠１３並びに縦枠１４及び１５には、図１に示すように開口開放位置にある障子４に当接するシール部材が装着されている。
【００１７】
障子４は、開閉手段６を介して窓枠２に装着される。障子４は、ガラス板等からなる矩形状の障子本体２１、上框２２、下框２３並びに一対の縦框２４及び２５を有している。被支持部材としての軸体５１が装着される縦框２４及び２５の部位は、本例では障子本体２１に対して建物外７側に突出している。開閉手段６を介して開口３を開閉自在に窓枠２に装着された障子４は、図１に示す開口開放位置において静止した状態となり、気流に基づく開口閉鎖移動により図５に示すように開口３を狭めたり、気流に基づく開口開放移動により図６に示すように開口３を拡げたりするようになっている。
【００１８】
開閉手段６は、障子４の上框２２側の部位３１を鉛直方向Ｖにおいて昇降自在に且つ水平軸Ｓ１の回りでＲ１方向に回動自在に支持する支持機構３２と、部位３１に対して下方に位置する障子４の他の部位３３を、建物内外方向Ｘに移動自在に且つ水平軸Ｓ２の回りでＲ２方向に回動自在に支持する支持機構３４と、開口閉鎖位置にある障子４を窓枠２に係合させる係合手段３５とを具備している。部位３１及び３３は、縦框２４及び２５に夫々設けられている。水平軸Ｓ１及びＳ２は、鉛直方向Ｖ及び建物内外方向Ｘに対して直交する図３に示す横方向Ｙに伸びている。建物内外方向Ｘは、本例では水平方向に対して平行であって横方向Ｙに対して直交する方向であるが、例えば建物内８側から建物外７側に向かって水平方向（水平面内の方向）に対して上向きに又は下向きに傾斜する方向であってもよい。部位３３は、障子４が開口閉鎖位置にある場合に障子４の重心Ｇに対して上方に位置すると共に当該重心Ｇに対して建物外７側に位置するように配されている。
【００１９】
支持機構３２は、縦框２４の部位３１及び縦框２５の部位３１の夫々に装着された軸体４１と、軸体４１を鉛直方向Ｖに直動案内するように縦枠１４及び１５の夫々に装着された鉛直方向Ｖに伸びた案内部材４２とを具備している。
【００２０】
案内部材４２は、鉛直方向Ｖに伸びた条溝４３を形成するように断面コ字状となっている。条溝４３には、軸体４１が鉛直方向Ｖに直動自在に且つ水平軸Ｓ１を中心として回転自在に配置される。案内部材４２は、障子４の開閉移動に伴って軸体４１が鉛直方向Ｖに直動する距離に対して同一であるか又は当該距離よりも長くなるように形成されている。条溝４３に配される軸体４１の部位には、転動ローラが装着されていてもよい。尚、支持機構３２は、図１に示す開口開放状態における軸体４１の案内部材４２に対する位置よりも当該軸体４１が下降することを防止すべく、当該位置にある軸体４１に当接するストッパを更に具備していてもよい。軸体４１は、障子４の開口開放移動及び開口閉鎖移動に伴い、案内部材４２に対して鉛直方向Ｖにおいて昇降すると共に当該案内部材４２に対して水平軸Ｓ１を軸心として回転する。
【００２１】
水平軸Ｓ１を中心とする部位３１は、図２に示すように開口閉鎖位置にある障子４の重心Ｇに対して上方に位置する。部位３１は、本例では、建物内外方向Ｘにおいて前記重心Ｇに対して若干建物内８側に位置する。斯かる支持機構３２は、部位３１を鉛直方向Ｖに直動自在に且つ水平軸Ｓ１の回りで回動自在に支持するようになっている。
【００２２】
尚、支持機構３２は、障子４に開口開放方向の移動力を与えるべく、部位３１を下方に向かって弾性的に付勢する付勢部材としてのばねを更に具備していてもよい。
【００２３】
支持機構３４は、縦框２４の部位３３及び縦框２５の部位３３の夫々に形成された横方向Ｙに伸びた被支持部材としての軸体５１と、縦枠１４及び１５の夫々に装着されていると共に軸体５１を支持する支持部材５２とを具備している。
【００２４】
水平軸Ｓ２を中心とする軸体５１及び部位３３は、図２に示すように障子４が開口閉鎖位置にある場合に当該障子４の重心Ｇに対して上方に位置すると共に当該重心Ｇに対して建物外７側に位置する。また、図１に示すように障子４が開口開放位置にある場合に部位３３及び軸体５１と障子４の重心Ｇとは、鉛直方向Ｖに伸びる同一直線上に夫々位置する。
【００２５】
支持部材５２は、例えば図４に示すように、軸体５１を建物内外方向Ｘに直動自在に且つ水平軸Ｓ２の回りでＲ２方向に回動自在に支持する直動支持部５３と、直動支持部５３の建物内８側寄りの端部５４に連接されており、建物内方向Ｘ２に向かう障子４の部位３３の移動に際して当該部位３３を鉛直方向Ｖに関して上方に変位させる一方、建物外方向Ｘ１に向かう障子４の部位３３の移動に際して当該部位３３を鉛直方向Ｖに関して下方に変位させるように、軸体５１を建物内外方向Ｘに交差する方向に移動自在に且つ水平軸Ｓ２の回りでＲ２方向に回動自在に支持する端側支持部５５と、直動支持部５３の建物外７側寄りの端部５６に連接されており、建物内方向Ｘ２に向かう障子４の部位３３の移動に際して当該部位３３を鉛直方向Ｖに関して下方に変位させる一方、建物外方向Ｘ１に向かう障子４の部位３３の移動に際して当該部位３３を鉛直方向Ｖに関して上方に変位させるように、軸体５１を建物内外方向Ｘに交差する方向に移動自在に且つ水平軸Ｓ２の回りでＲ２方向に回動自在に支持する端側支持部５７とを具備している。端側支持部５５は、縦枠１４及び１５に夫々固着されている。
【００２６】
直動支持部５３並びに端側支持部５５及び５７は、互いに協働して、軸体５１を建物内外方向Ｘ及び建物内外方向Ｘに交差する方向に案内する一つの長孔又はスリット、本例では長孔６１を形成している。長孔６１には、軸体５１が建物内外方向Ｘに直動自在に且つ水平軸Ｓ２を中心としてＲ２方向に回転自在に配置される。端側支持部５５において形成される長孔６１の建物内８側の端面６２は、障子４の部位３３の所定量以上の開口閉鎖移動を抑止するように軸体５１に当接するようになっている。端側支持部５７において形成される長孔６１の建物外７側の端面６３は、障子４の部位３３の所定量以上の開口開放移動を抑止するように軸体５１に当接するようになっている。長孔６１に配される軸体５１の部位には、転動ローラが装着されていてもよい。
【００２７】
直動支持部５３に形成される長孔６１の部位７１は、建物内外方向Ｘに伸びている。直動支持部５３に配される軸体５１は、建物内方向Ｘ２に向かう気流に基づいて端部５４に向かって移動する一方、建物外方向Ｘ１に向かう気流に基づいて端部５６に向かって移動するように、建物内外方向Ｘに直動自在な状態にある。障子４の部位３３が図１に示すように直動支持部５３の端部５６に位置した状態においては、障子４はその自重によりバランスを保って静止する。斯かる静止状態にある障子４は、気流に基づいて開口開放移動及び開口閉鎖移動が自在な状態にある。障子４が図１に示すように静止する位置を本例においては開口開放位置としている。
【００２８】
端側支持部５５に形成される長孔６１の部位７２に沿って伸びる図４に示す線７５は、部位７２を移動する軸体５１の軸心の軌跡であり、斯かる線７５は、直線であっても曲線であってもよく、曲線の場合は上に向かって凹状又は凸状であってもよい。線７５は、建物内外方向Ｘに伸びる図４に示す線７６に対して、建物外７側から建物内８側に向かって上向きに傾斜している。部位７２の建物内８側の一端は、部位７１に連接する部位７２の他端よりも上方に位置している。例えば線７５が上に向かって凹状の曲線である場合には、端側支持部５５に位置する障子４の部位３３に付与される気流に基づく開口閉鎖移動力に抗する障子４の自重に基づく抗開口閉鎖移動力は、軸体５１の位置が端側支持部５５の他端側（建物外７側の端部側）から一端側（建物内８側の端部側）に移行するに従って漸増する。端側支持部５５は、上述のように、障子４の部位３３に抗開口閉鎖移動力を付与するようになっており、これにより、障子４が開口閉鎖位置に到達する直前において当該障子４の開口閉鎖移動を減速させ得て、開口閉鎖時の衝撃を弱めることができる。また、端側支持部５５は、当該端側支持部５５に位置する障子４の部位３３に対して、当該障子４の自重に基づく開口開放移動力を開口開放のために付与するようにもなっており、これにより、障子４の開口開放作動を円滑に行わせ得、例えば線７５が上に向かって凹状の曲線である場合には、軸体５１の位置が部位７２の一端側から他端側に移行するに従って前記自重に基づく開口開放移動力を弱めることができて、より円滑な開口開放作動を行わせ得る。
【００２９】
端側支持部５７に形成される長孔６１の部位７３に沿って伸びる図４に示す線７７は、部位７３を移動する軸体５１の軸心の軌跡であり、斯かる線７７は、直線であっても曲線であってもよく、曲線の場合は上に向かって凹状又は凸状であってもよい。線７７は、建物内外方向Ｘに伸びる線７６に対して、建物内８側から建物外７側に向かって上向きに傾斜している。部位７３の建物外７側の一端は、部位７１に連接する部位７３の他端よりも上方に位置している。例えば線７７が上に向かって凹状の曲線である場合には、端側支持部５７に位置する障子４の部位３３に付与される気流に基づく開口開放移動力に抗する障子４の自重に基づく抗開口開放移動力は、軸体５１の位置が端側支持部５７の他端側から一端側に移行するに従って漸増する。端側支持部５７は、上述のように、障子４の部位３３に抗開口開放移動力を付与するようになっており、これにより、障子４が図６に示す開口全開位置に到達する直前において当該障子４の開口開放移動を減速させ得て、軸体５１の端面６３への衝突を防止し得る。また、端側支持部５７は、線７７が線７６に対して建物内８側から建物外７側に向かって上向きに傾斜しているので、当該端側支持部５７に位置する障子４の部位３３に対して、当該障子４の自重に基づく開口閉鎖移動力を障子４を開口開放位置に復帰させるために付与するようにもなっている。
【００３０】
障子４が開口閉鎖位置にある場合に部位３３と重心Ｇとを結んだ図２に示す線８１は、鉛直方向Ｖに伸びる線８２に対して、下方に向かって建物内８側向きに傾斜している。線８２に対する線８１の傾斜角θ３は、障子４が開口開放移動によって開口開放位置に近づくに連れて次第に小さくなり、障子４が開口開放位置に配された際に０度となり、部位３３と開口開放位置にある障子４の重心Ｇとを結ぶ図１に示す線８３は、鉛直方向Ｖに伸びる線８２と平行となる。線８１が線８２に対して下方に向かって建物内８側向きに傾斜している場合には、障子４にはその自重に基づく開口開放移動力が付与され、傾斜角θ３が０度となった場合には、前記自重に基づく開口開放移動力は生じなくなる。また、障子４が開口全開位置にある場合に障子４の部位３３と障子４の重心Ｇとを結ぶ図６に示す線８４は、鉛直方向Ｖに伸びる線８２に対して、下方に向かって建物外７側向きに傾斜している。線８２に対する線８４の傾斜角θ４は、障子４が開口閉鎖移動によって開口開放位置に近づくに連れて次第に小さくなり、障子４が開口開放位置に配された際に上記同様に０度となる。線８４が線８２に対して下方に向かって建物外７側向きに傾斜している場合には、障子４にはその自重に基づく開口閉鎖移動力が付与され、傾斜角θ４が０度となった場合には、前記自重に基づく開口閉鎖移動力は生じなくなる。
【００３１】
係合手段３５は、下框２３に回転自在に装着されたＬ字状のレバーからなる係合部材６５を具備している。斯かる係合部材６５は、開口閉鎖状態において回転操作されることにより建物内８側において下枠１３に当接し、これにより障子４を窓枠２に係合させるようになっている。また、係合部材６５は、前記回転操作とは逆方向に回転操作されることにより下枠１３から離反されて、障子４の窓枠２に対する係合を解除させるようになっている。
【００３２】
以上の自然換気窓１による窓開閉動作について以下説明する。まず、図２に示す開口閉鎖位置にある障子４の開口開放移動を、係合手段３５による障子４と窓枠２との係合を解除することにより許容する。係合手段３５による係合が解除されると、当該開口閉鎖位置にある障子４の部位３３には、建物内外方向Ｘにおいて部位３３が重心Ｇに対して建物外７側に位置しているために開口開放位置に向かうＲ２方向の回動モーメントが付与され、しかも、軸体５１が部位７２にあるために障子４の自重に基づいて部位７２に沿って移動し、而して、障子４の部位３３は建物外方向Ｘ１の移動を開始し、障子４は開口開放移動を開始する。軸体４１は部位３３のＲ２方向の回動に伴い、Ｒ１方向の回動を生じながら条溝４３に沿って下降する。障子４に付与される開口開放位置に向かうＲ２方向の回動モーメントは、障子４が開口開放位置に近づくに連れて傾斜角θ３が次第に小さくなるために、漸減する。図５に示すように、軸体５１が部位７２から部位７１に移行した際にも、障子４にはその自重に基づく開口開放移動力が付与され、そのまま開口開放移動を続ける。障子４の開口開放移動により部位３３が開口開放位置に到達すると、部位３３と重心Ｇとが鉛直方向Ｖに伸びる同一直線上に位置し、これにより障子４の自重に基づく開口開放移動力が生じなくなり、障子４は静止する。このようにＲ２方向の回動モーメントが漸減するために障子４による急速な開口開放を防止することができ、また逆に、障子４が開口開放位置から開口閉鎖位置に向かって漸次移動される場合には、障子４に付与される開口開放位置に向かうＲ２方向の回動モーメントは障子４の前記移動に抗するように漸増するために、急速な開口閉鎖を防止することができ、しかも、端側支持部５５を具備するために、部位３３が開口閉鎖位置及びその近傍に位置する場合に障子４の開口開放移動の開始を円滑に行わせ得、また、急速な開口閉鎖を防止することができる。
【００３３】
障子４が開口開放位置に配された場合に、気流により障子４に対して建物外７側が正圧に且つ建物内８側が負圧になると、障子４には気流に基づく開口閉鎖移動力が付与され、当該障子４は、気流に基づいて開口閉鎖移動され、而して、建物外７から建物内８への気体流量を減少させる。逆に、気流により障子４に対して建物外７側が負圧に且つ建物内８側が正圧にあると、障子４には気流に基づく開口開放移動力が付与され、当該障子４は、気流に基づいて開口開放移動され、而して、建物内８から建物外７への気体流量を増大させる。気流に基づく開口開放移動力又は開口閉鎖移動力が生じなくなると、障子４は、上述のように開口開放位置に復帰し、静止する。
【００３４】
軸体５１が部位７３に位置する場合には、障子４には開口開放移動力に抗する抗開口開放移動力が付与されるので、障子４の開口全開位置に向かう開口開放移動は減速され、停止される。気流に基づく開口開放移動力が生じなくなると、部位３３が端側支持部５７にある障子４は開口開放位置に復帰し、静止する。
【００３５】
開口開放位置にある障子４は、傾斜角θ３及びθ４が０度となっていることから、気流に基づく小さな開口開放移動力及び開口閉鎖移動力が付与されることで開口開放移動及び開口閉鎖移動を生じ、障子４が開口開放位置から次第に離れるに連れて障子４の自重に基づく抗開口開放移動力及び抗開口閉鎖移動力が生じるので、気流に基づく小さな開口開放移動力及び開口閉鎖移動力では障子４には開口開放移動及び開口閉鎖移動が生じ得なくなる。而して、小さな気流であっても、当該気流に基づいて障子４の開閉移動を生じさせることができ、しかも、障子４による急速な開口開放及び開口閉鎖をも防止することができる。尚、斯かる自然換気窓１では、障子４に装着された係合部材６５を手動操作により建物内８側から引張って障子４を開口閉鎖位置に配し、当該係合部材６５を下枠１３に係合させることにより開口３を閉鎖した状態を維持する。
【００３６】
本例の自然換気窓１は、障子４の上框２２側の部位３１を支持する支持機構３２と、部位３１に対して下方に、障子４が開口閉鎖位置にある場合に障子４の重心に対して上方に、且つ、障子４の重心Ｇに対して建物外７側に位置する障子４の他の部位３３を支持する支持機構３４とを具備しているが、これらに代えて、例えば、障子４の下框２３側の部位を昇降自在に且つ水平軸の回りで回動自在に支持する第一の支持機構と、前記障子４の下框２３側の部位に対して上方に位置する障子４の他の部位を、建物内外方向Ｘに移動自在に且つ水平軸の回りで回動自在に支持する第二の支持機構とを具備してもよく、しかも、当該障子４の他の部位が、障子４が開口閉鎖位置にある場合に障子４の重心Ｇに対して上方に位置すると共に当該重心Ｇに対して建物内８側に位置するように配されていてもよい。斯かる第一及び第二の支持機構を具備した自然換気窓１によっても、上述及び後述の作用効果を奏し得る。
【００３７】
以上の自然換気窓１によれば、建物に装着される窓枠２と、窓枠２により画成された開口３に配される障子４と、気流に基づいて開口３を開閉させる開閉手段６とを具備しており、開閉手段６は、障子４の上框２２側の部位３１を昇降自在に且つ水平軸Ｓ１の回りで回動自在に支持する支持機構３２と、前記部位３１に対して下方に位置する障子４の他の部位３３を、建物内外方向Ｘに移動自在に且つ水平軸Ｓ２の回りで回動自在に支持する支持機構３４とを具備しており、障子４の他の部位３３は、障子４が開口閉鎖位置にある場合に障子４の重心Ｇに対して上方に位置すると共に当該重心Ｇに対して建物外７側に位置するように配されており、支持機構３４は、障子４の他の部位３３に形成された被支持部材としての軸体５１と、窓枠２に装着されていると共に軸体５１を支持する支持部材５２とを具備しており、支持部材５２は、軸体５１を建物内外方向Ｘに直動自在に且つ水平軸Ｓ２の回りで回動自在に支持する直動支持部５３と、直動支持部５３の建物内８側寄りの端部５４に連接されており、建物内方向Ｘ２に向かう障子４の他の部位３３の移動に際して当該他の部位３３を上方に変位させる一方、建物外方向Ｘ１に向かう障子４の他の部位３３の移動に際して当該他の部位３３を下方に変位させるように、軸体５１を建物内外方向Ｘに交差する方向に移動自在に且つ水平軸Ｓ２の回りで回動自在に支持する端側支持部５５、及び、直動支持部５３の建物外７側寄りの端部５６に連接されており、建物内方向Ｘ２に向かう障子４の他の部位３３の移動に際して当該他の部位３３を下方に変位させる一方、建物外方向Ｘ１に向かう障子４の他の部位３３の移動に際して当該他の部位３３を上方に変位させるように、軸体５１を建物内外方向Ｘに交差する方向に移動自在に且つ水平軸Ｓ２の回りで回動自在に支持する端側支持部５７とのうちの少なくとも一方、本例では端側支持部５５及び端側支持部５７とを具備しているために、開口開放位置側にある障子４の気流に基づく開口閉鎖移動を軽くすると共に開口閉鎖位置側にある障子４の気流に基づく開口閉鎖移動を重くすることができ、而して、開口開放位置側にある障子４の気流に基づく開閉移動により好適に換気することができ、しかも、建物外７側寄りの端側支持部５７を具備する場合には開口開放位置側にある障子４の急速な開口開放移動を防止することができ、建物内８側寄りの端側支持部５５を具備する場合には開口閉鎖位置側にある障子４の急速な開口閉鎖移動を防止することができ、また、支持機構３２が、障子４の上框２２側の部位３１を昇降自在に支持しており、支持機構３４は、障子４の他の部位３３を建物内外方向Ｘに移動自在に支持しているために、開口３を開放する際に障子４を建物外７側のみに突出させることができる。
【００３８】
自然換気窓１によれば、開口開放位置にある障子４の他の部位３３及び当該障子４の重心Ｇは、鉛直方向Ｖに伸びる同一直線上に夫々位置するために、障子４に重錘等を装着することなく、開口開放位置において障子４を釣り合わせることができて、ストッパ等を用いずとも障子４の開口開放移動を停止させることができ、しかも、開口開放位置又はその近傍にある障子４の気流に基づく開閉移動を軽くすることができる。
【００３９】
自然換気窓１によれば、支持機構３２は、障子４の上框２２側の部位３１を支持するようになっており、支持機構３４は、障子４の上框２２側の部位３１に対して下方に位置すると共に開口閉鎖位置にある障子４の重心Ｇに対して建物外７側に位置するように障子４の他の部位３３を支持するようになっているために、特に建物外７から建物内８に向かう気流の増大及び減少に応じて開口３を閉鎖及び開放させることができるが、例えば、支持機構３２は、障子４の下框２３側の部位を支持するようになっており、支持機構３４は、障子４の下框２３側の部位に対して上方に位置すると共に開口閉鎖位置にある障子４の重心Ｇに対して建物内８側に位置するように障子４の他の部位を支持するようになっていてもよく、斯かる場合には、特に建物内８から建物外７に向かう気流の増大及び減少に応じて開口３を閉鎖及び開放させることができる。
【図面の簡単な説明】
【００４０】
【図１】本発明の実施の形態の例の開口開放状態における側面説明図である。
【図２】図１に示す例の開口閉鎖状態における側面説明図である。
【図３】図２に示す例の平面説明図である。
【図４】図１に示す例の主に第二の支持機構の説明図である。
【図５】図１に示す例の動作説明図である。
【図６】図１に示す例の動作説明図である。
【符号の説明】
【００４１】
１  自然換気窓
２  窓枠
３  開口
４  障子
６  開閉手段
３２  支持機構
３４  支持機構
５３  直動支持部
５５、５７  端側支持部
【図１】
2008179985.tif 000003
【図２】
2008179985.tif 000004
【図３】
2008179985.tif 000005
【図４】
2008179985.tif 000006
【図５】
2008179985.tif 000007
【図６】
2008179985.tif 000008